(57)【要約】【課題】  下から食い上げる魚に対するフッキング率を飛躍的に向上させることができるスピナーベイト型ルアーを提供する。【解決手段】  シャフト１のアッパーアーム１１にブレード２を備え、シャフト１のロアーアーム１２にはジグ３を備えている。ロアーアーム１２はジグ３を貫通してジグ３の頭部３ａと後端部３ｂにそれぞれフック係止部５，６を形成し、フック係止部５，６にはそれぞれトリプルフック８，９が装着されている。【選択図】  図１
2005185216.tif 000002
【特許請求の範囲】
【請求項１】
くの字状に形成されたシャフトのアッパーアームに回転体が回転自在に連結され、シャフトのロアーアームにはフックを備えたルアー本体が固定されたスピナーベイト型ルアーであって、ルアー本体は前後方向に伸びた形状であって、前記フックとしてのトリプルフックがルアー本体の頭部と後端部にそれぞれ設けられていることを特徴とするスピナーベイト型ルアー。
【請求項２】
ルアー本体はロアーアームと一体化されたジグであり、ロアーアームはジグを貫通してジグの頭部と後端部においてそれぞれ外部に表出してフック係止部を形成している請求項１記載のスピナーベイト型ルアー。
【発明の詳細な説明】
【技術分野】
【０００１】
本発明は、くの字状のシャフトの主として一端に設けられたブレードやプロペラ等の回転体がリトリーブ時に水の抵抗を受けて回転することによって光の反射や振動、音等によって魚を誘惑し、シャフトの他端に備えたルアー本体にバイトさせるスピナーベイト型ルアーに関する。
【背景技術】
【０００２】
従来、この種のスピナーベイト型ルアーとしてはシャフトの他端にブレードを設けたものが数多く提案されている。これらのスピナーベイト型ルアーのシャフトの他端にはジグヘッドが一体的に固定され、そのジグヘッドには例えばスカート等のトレーラーが装着される。
【発明の開示】
【発明が解決しようとする課題】
【０００３】
しかしながら、これらのスピナーベイト型ルアーは、そのジグヘッドのフックがシングルタイプのものであるうえにフックが上向きであるため、フッキングが悪いという問題がある。魚の中には、主として下から食い上げるようにバイトするものもある。しかしながら、従来のようなシングルフックのスピナーベイト型ルアーでは、この下からの食い上げに対するフッキング率が悪く、バイトがあってものらないという現状が起こる。魚の活性が比較的高い場合には上向きのシングルフックでもある程度のフッキング率が確保できるが、食いが悪いスレた魚の場合には極端にフッキングが悪くなる。
【０００４】
それゆえに本発明は、上記従来の問題に鑑みてなされ、下から食い上げる魚に対するフッキング率を飛躍的に向上させることができるスピナーベイト型ルアーを提供することを課題とする。
【課題を解決するための手段】
【０００５】
本発明は、上記課題を解決すべくなされたものであり、本発明に係るスピナーベイト型ルアーは、くの字状に形成されたシャフトのアッパーアームに回転体が回転自在に連結され、シャフトのロアーアームにはフックを備えたルアー本体が固定されたスピナーベイト型ルアーであって、ルアー本体は前後方向に伸びた形状であって、前記フックとしてのトリプルフックがルアー本体の頭部と後端部にそれぞれ設けられていることを特徴とする。
【０００６】
該スピナーベイト型ルアーにあっては、ルアー本体にトリプルフックを備えているので、魚がルアー本体に向かって下から食い上げるようにバイトしたときにルアー本体のトリプルフックにフッキングすることとなる。そして、ルアー本体が前後方向に長いため、高活性時に起こりやすい頭部へのバイトを頭部のトリプルフックで確実にフッキングでき、低活性時に起こりやすい後端部へのショートバイトも後端部のトリプルフックで確実にフッキングさせることができる。
【０００７】
また、ルアー本体はロアーアームと一体化されたジグであり、ロアーアームはジグを貫通してジグの頭部と後端部においてそれぞれ外部に表出してフック係止部を形成していることが好ましい。ルアー本体をロアーアームと一体化した前後方向に長いジグとすることにより大きなウエイトを確保でき、大きな飛距離が得られる。そして、ロアーアームがジグを貫通してフック係止部を形成しているので、フック係止部の十分な強度を確保でき、大物がフッキングした場合でも十分に取り込むことができる。
【発明の効果】
【０００８】
以上のように本発明のスピナーベイト型ルアーにあっては、従来のシングルフックとは異なり前後のトリプルフックであるため下からの食い上げに対するフッキング率を飛躍的に向上させることができる。
【発明を実施するための最良の形態】
【０００９】
以下、本発明に係るスピナーベイト型ルアーの一実施形態について図面を参酌しつつ説明する。
図１及び図２に示すスピナーベイト型ルアーは、屈曲部１３がライン連結部となるようにくの字状に折り曲げられたシャフト１と、該シャフト１に回転自在に設けられた回転体としてのブレード２と、シャフト１に固定されたルアー本体としてのジグ３とを備えている。
【００１０】
前記シャフト１は、金属ワイヤーからなり、屈曲部１３を頂点とし後方に向けて斜め上方に伸びたアッパーアーム１１と斜め下方に伸びたロアーアーム１２を有する二股状に形成されている。ロアーアーム１２の先端部は前方に折り返されてブレード係止部１４を形成し、そのブレード係止部１４にはスイベル４を介して前記ブレード２が回転自在に連結されている。
【００１１】
該ブレード２は、楕円形であってその長手方向の一端部がスイベル４に連結されており、その長手方向の他端部は前記ジグ３の後端部３ｂよりも後方に位置する。尚、ブレード２の形状や数も適宜変更可能であり、例えば、ブレード２を二枚設ける場合には一方のブレード２は図１のようにロアーアーム１２の先端部に設け、他方のブレード２はロアーアーム１２の中途部に設けることもできる。
【００１２】
一方、ロアーアーム１２にはジグ３が一体的に固定されている。該ジグ３は、比重の大きい金属である例えば鉛やタングステンあるいはこれらの合金等から構成されており、前後方向に長い形状であって、後方に向けて徐々に細くなっている。ジグ３の縦断面（ジグ３を上下方向に沿って切断したときの断面）は上側を頂点とする略三角形状であり、その断面が後方に向けて徐々に小さくなるように形成されている。また、ジグ３の前端面３ｃは、上から下に向けて斜め後方にカットされた傾斜面であり、リトリーブ時にこの前端面３ｃが水の抵抗を受けることにより、ジグ３には上方に浮き上がる力が作用すると共に、ジグ３がミノーの如く左右にウォブリングしたりローリングしたりしてアクションを引き起こす。また、ジグ３の頭部３ａには左右共に魚の目となる部分３ｄがシールの貼着により設けられている。
【００１３】
そして、図２のようにロアーアーム１２はジグ３を貫通すると共に部分的にジグ３から外部に表出することで頭部３ａの下方位置と後端部３ｂとにそれぞれフック係止部５，６を形成している。具体的には、前記ジグ３の前端面３ｃはロアーアーム１２と平行であって、ロアーアーム１２は頭部３ａの上方から前端面３ｃの内側を前端面３ｃと平行に貫通して一旦頭部３ａ下方において外部に表出する。その頭部３ａの下方においてロアーアーム１２は前側のフック係止部５を形成すべく上方に曲げ返されて再びジグ３内に入り、ジグ３内で後方に曲げられてジグ３の後端部３ｂへと向かい、ジグ３の後端部３ｂで再び外部に後方に向けて表出して同様に後側のフック係止部６を形成した後に再度後端部３ｂからジグ３内に入っている。
【００１４】
このようにジグ３には頭部３ａと後端部３ｂの二箇所にフック係止部５，６が設けられており、各フック係止部５，６にはスプリットリング７を介してトリプルフック８，９が吊り下げ状態にて取り付けられている。尚、頭部３ａのフック係止部５よりも後端部３ｂのフック係止部６の方が上方に位置している。また、ジグ３は、鋳造により形成されるがその際金型にシャフト１を配置してシャフト１にジグ３を一体化している。
【００１５】
以上のように構成されたスピナーベイト型ルアーにあっては、ルアー本体がジグ３であるのでウエイトが大きく、大きな飛距離が得られる。特に、ソルトウォータ用、中でもショアからのサーフゲーム用（対象魚としてはヒラメやマゴチ等）として有効である。そして、一般的なメタルジグとは異なりブレード２を有するスピナーベイト型であるので、メタルジグでは得られないアピール性が得られ且つ、一定のスピードでリトリーブするだけでもブレード２が発する振動等で魚を効果的に誘惑することができる。また、一定のスピードでリトリーブすればよいので、ジグ３を水平状態に容易に維持させることができ、魚がジグ３にバイトしやすいという利点がある。更に、鋭い歯を持つ魚がジグ３の頭部３ａにバイトするような場合でも、ジグ３に直接ラインを連結する構造ではなくロアーアーム１２を介してラインを連結する構造であるので、魚の歯はロアーアーム１２にあたることとなりライン切れを防止することもできる。
【００１６】
そして、ジグ３がトリプルフック８，９を備えているので上向きシングルフックでは得られない高いフッキング率が確保され、特に下から食い上げるバイトに対して有効である。また、重量が大きいジグ３を使用した場合にはフッキング後においてバレやすくなるが、フックがトリプルフック８，９であるのでフッキング後にバレることも少なく、魚を確実に取り込むことができる。また、頭部３ａにもトリプルフック８が設けられているので、頭部３ａへのバイトに対しても効果的である。
【００１７】
更に、ロアーアーム１２がジグ３を貫通して二つのフック係止部５，６を形成しているので、別途フック係止部用のワイヤが必要になることもないうえに、トリプルフック８，９にフッキングしたことをシャフト１とラインを介してダイレクトに感じとることができ、ウエイトの大きいルアーが共通して持つバイトのとりにくさの問題を軽減することができる。しかも、フック係止部５，６の強度を十分に確保できる。
【００１８】
尚、本実施形態では、トリプルフック８，９を前後二箇所に設けたが、例えば後端部３ｂのみの一箇所としたり、三箇所以上設けたりしてもよい。
【００１９】
また、ジグ３の形状、材質等についても適宜設計変更可能であり、その大きさや形状を変更することでウエイトにバリエーションを持たせることができる。
【００２０】
更に、シャフト１の長さや、アッパーアーム１１とロアーアーム１２の間の角度等についても種々の変更が可能であり、くの字における屈曲部１３の構成も、図１のような折曲構造には限定されず、環状に形成してもよい。
【図面の簡単な説明】
【００２１】
【図１】本発明の一実施形態に係るスピナーベイト型ルアーを示す正面図。
【図２】同ルアーの断面図。
【符号の説明】
【００２２】
１…シャフト、２…ブレード（回転体）、３…ジグ（ルアー本体）、１１…アッパーアーム、１２…ロアーアーム、１３…屈曲部、５，６…フック係止部、８，９…トリプルフック
【図１】
2005185216.tif 000003
【図２】
2005185216.tif 000004